(57)【特許請求の範囲】
【請求項１】
内装(11)と外装(12)との間に発泡断熱材(13)を充填してなる断熱箱体(14)の内部に、遮蔽部材(31)を介して収納室(22)と冷却室(25)とが画成され、前記冷却室(25)に配設した冷却器(23)により熱交換のなされた冷気を、該冷却室(25)に配設した庫内ファン(24)を介して収納室(22)に循環させるよう構成した冷蔵庫において、
前記内装(11)における冷却室(25)を画成して対向する両内側面(11a,11a)の後部側に、吸込側と吹出側とが前後の向きとなる姿勢で配設された前記冷却器(23)の対応する側面近傍まで延出し、該冷却器(23)の側部において吸込側と吹出側とが連通しないようにする後突部(26,26)を設け、
前記両後突部(26,26)の上面を前記冷却器(23)の上面に配設された断熱部材(30)の上面と略同一レベルとなるよう設定し、該冷却器(23)の上部において吸込側と吹出側とが連通しないように、両後突部(26,26)に載置した前記遮蔽部材(31)と冷却器(23)との間に前記断熱部材(30)を位置させた
ことを特徴とする冷蔵庫。
【請求項２】
前記両後突部(26,26)の前側に、内装(11)の両内側面(11a,11a)から内部側に突出して前方に所定長さで延在する前突部(28,28)が連設され、前後の両突部(26,26,28,28)間に前記遮蔽部材(31)が載置されている請求項１記載の冷蔵庫。
【請求項３】
前記内装(11)の内後面(11b)に、前記収納室(22)から冷却室(25)まで延在する複数の凹溝(34)を並列に形成し、収納室(22)と冷却室(25)とを該凹溝(34)を介して連通するよう構成した請求項１または２記載の冷蔵庫。
【請求項４】
前記凹溝(34)は、隣り合う凹溝(34)と凹溝(34)との間に形成される凸部(35)より幅広に設定されている請求項３記載の冷蔵庫。
【請求項５】
前記内装(11)における収納室(22)に臨む対向する両内側面(11a,11a)に、内部側に開放して前後方向に延在する複数の溝部(36)を上下に離間して形成すると共に、対向する両溝部(36,36)における底面(36a,36a)の間隔は前側から後側に向かうにつれて幅狭となるよう設定され、対向する両溝部(36,36)の下面(36b,36b)間に、後部側に向かうにつれて幅狭となるよう設定した棚部材(37)を載置するようにした請求項１〜４の何れかに記載の冷蔵庫。
【請求項６】
前記棚部材(37)の後部に上方に所定高さで立上がるストッパ(38)が配設され、前記溝部(36)の高さ寸法は、前記ストッパ(38)を含む棚部材(37)の高さ寸法より僅かに大きく設定される請求項５記載の冷蔵庫。
【請求項７】
前記溝部(36)の後端(36c)は、前記内装(11)における内後面(11b)より所定長さだけ前側に位置するよう設定され、前記棚部材(37)は、その後端を溝部(36)の後端(36c)に当接して位置決めされる請求項５または６記載の冷蔵庫。
【発明の詳細な説明】
【０００１】
【発明の属する技術分野】
この発明は、断熱箱体の内部に、遮蔽部材により収納室と冷却室とを画成した冷蔵庫に関するものである。
【０００２】
【従来の技術】
食料品店やコンビニエンスストア等で、食品や飲料品等を冷蔵状態で収納して陳列する冷蔵ショーケース(冷蔵庫)が好適に使用されている。この冷蔵ショーケースは、内装と外装との間にウレタン等の発泡断熱材を充填してなる断熱箱体の内部に、食品や飲料品等の陳列品の収納室と、冷凍機構から冷媒が循環供給される冷却器および庫内ファンが収納される冷却室とが、遮蔽板を介して上下の関係で画成されている。遮蔽板には、収納室と冷却室とを連通する吸込口と吹出口とが形成され、庫内ファンを回転することにより、遮蔽板の吸込口から冷却室に吸込んだ室内空気を、前記冷却器に接触して冷気とした後、遮蔽板の吹出口を介して収納室に吹出して該収納室を冷却するよう構成してある。
【０００３】
【発明が解決しようとする課題】
前記冷却室が断熱箱体の下部に画成される冷蔵ショーケースでは、冷却器で冷却された冷気は、前記遮蔽板に設けられた吹出口から収納室に向けて吹出されるだけであるので、該冷気は収納室の上部まで効率的に案内されず、収納室内が均一に冷却されない問題があった。
【０００４】
前記冷却室では、前記遮蔽板の吸込口から冷却室内に吸込まれた空気が、冷却器の側部から空気吹出側に回り込んで冷却されることなく収納室に吹出されるのを防止するために、空気の回り込みを防止する部材を別途設けていた。このため、部品点数が多くなってコストが嵩むと共に、組付け工数が増えて組付け作業に時間が掛かる難点も指摘される。
【０００５】
前記冷蔵ショーケースでは、陳列品を載置するための棚部材を収納室に多段的に配設するために、前記内装の左右両内側面に支持部を多段的に突出形成している。この場合において、内装を樹脂真空成形品で構成する場合、該内装は前方開口部側より後側の内部幅寸法が必然的に狭くなる。このため、内装の後側の内部寸法に対応する幅寸法に設定した長方形状の棚部材を載置する支持部については、その内側面からの突出寸法を後側から前側に向かうにつれて大きくなるよう設定しているが、このときには支持部の突出寸法分だけ前方開口部の有効広さが狭くなると共に、内容積も小さくなる欠点が指摘される。また支持部の前側においては、支持部と内側面との連設基部から離間する位置(突出先端側)で棚部材を支持するため、該支持部に加わるモーメントが大きくなり、強度を高める必要がある。
【０００６】
更に、前記内装の内部幅寸法は、前側から後側に向かうにつれて狭くなっているから、後側の内部幅寸法に対応するよう幅寸法が設定された前記棚部材を支持部間に載置した場合、該棚部材の前側の側端と内装の内側面との間には大きな隙間を生じ、該棚部材が大きく移動してしまう欠点があった。
【０００７】
【発明の目的】
本発明は、前述した従来の技術に内在している前記欠点に鑑み、これを好適に解決するべく提案されたものであって、収納室を効率的に冷却し得る冷蔵庫を提供することを目的とする。
【０００８】
【課題を解決するための手段】
前記課題を克服し、所期の目的を達成するため、本発明に係る冷蔵庫は、
内装と外装との間に発泡断熱材を充填してなる断熱箱体の内部に、遮蔽部材を介して収納室と冷却室とが画成され、前記冷却室に配設した冷却器により熱交換のなされた冷気を、該冷却室に配設した庫内ファンを介して収納室に循環させるよう構成した冷蔵庫において、
前記内装における冷却室を画成して対向する両内側面の後部側に、吸込側と吹出側とが前後の向きとなる姿勢で配設された前記冷却器の対応する側面近傍まで延出し、該冷却器の側部において吸込側と吹出側とが連通しないようにする後突部を設け、
前記両後突部の上面を前記冷却器の上面に配設された断熱部材の上面と略同一レベルとなるよう設定し、該冷却器の上部において吸込側と吹出側とが連通しないように、両後突部に載置した前記遮蔽部材と冷却器との間に前記断熱部材を位置させたことを特徴とする。
【００１０】
【発明の実施の形態】
次に、本発明に係る冷蔵庫につき、好適な実施例を挙げて、添付図面を参照しながら以下説明する。図２および図３に示す如く、実施例に係る冷蔵庫としての冷蔵ショーケース１０は、内装１１と外装１２との間にウレタン等の発泡断熱材１３を充填してなる断熱箱体１４と、該箱体１４が載置されるシャーシ１５から基本的に構成される。また、シャーシ１５の内部に画成した機械室１６には、冷凍機構１７が収納されている。前記断熱箱体１４の前部には、前方に開放する矩形状の開口部１４ａが形成され、該開口部１４ａの内周上部および下部には、その幅方向(左右方向)の全長に亘って合成樹脂製の上レール１８および下レール１９が対応的に配設される。そして、両レール１８,１９間に、前扉２０と後扉２１とが夫々幅方向にスライド自在に支持されて、開口部１４ａを開閉し得るよう構成してある。
【００１１】
前記断熱箱体１４の内部、すなわち内装１１の内部には、後述する第１遮蔽板(遮蔽部材)３１を介して、上方に食品や飲料品等を冷蔵するための収納室２２が画成されると共に、下方に前記冷凍機構１７から冷媒が循環供給される冷却器２３および冷気循環用の庫内ファン２４が配設される冷却室２５が画成される。冷却器２３は、冷却室２５内においては、その空気吸込側を前側に向けると共に、空気吹出側を後側に向けた姿勢で配置されると共に、前記庫内ファン２４は、前側から吸込んだ空気(冷気)を後側に向けて吹出すよう設定されている。
【００１２】
前記内装１１は樹脂真空成形品であり、冷却室２５を画成して対向する左右の両内側面(内面)１１ａ,１１ａの後部側に、図１に示す如く、前記冷却器２３の対応する左右の側面近傍まで延出する後突部２６,２６が一体的に形成され、冷却器２３の側部においては、両後突部２６,２６により吸込側と吹出側とが連通しないよう構成してある。また両後突部２６,２６は、内装１１の内後面(内面)１１ｂまで延在し、該両後突部２６,２６および冷却器２３の吹出側(後面側)と内後面１１ｂとにより、吹出用空間Ｓ1を画成している。そして、この吹出用空間Ｓ1に、前記庫内ファン２４が取付部材２７を介して配設され、冷却器２３と接触して熱交換した冷気を、吹出用空間Ｓ1から収納室２２に吹出すよう構成される。
【００１３】
前記内装１１の下部における両内側面１１ａ,１１ａには、前記後突部２６,２６の内部側への突出寸法より短かい所定長さだけ内部側に突出する前突部２８,２８が、後突部２６,２６の前側から前方に所定長さで延在するよう一体に連設されている。そして、両前突部２８,２８の間に臨む内装１１の内底面に、前記冷却器２３が左右のブラケット２９,２９を介して固定されている。なお、前記後突部２６および前突部２８の上面は、前記冷却器２３の上面に配設された断熱部材３０の上面と略同一レベルとなるよう設定されており(図４参照)、これら突部２６,２６,２８,２８間に前記第１遮蔽板３１が着脱自在に載置される(図５参照)。また前突部２８,２８の前端は、内装１１の前端よりも所定長さだけ後側に位置するよう設定されている。
【００１４】
前記第１遮蔽板３１は、図５に示す如く、矩形状の平板部３１ａと、該平板部３１ａの前端に下方に向けて直角に折曲形成された垂直部３１ｂと、平板部３１ａの後端に形成されて複数の吹出口３１ｃが穿設された水平突部３１ｄとから基本的に構成される。そして第１遮蔽板３１は、平板部３１ａの左右両端縁部が、前記前後の段部２６,２８の上面に載置されて、収納室２２と冷却室２５とを画成するようになっている。また第１遮蔽板３１の垂直部３１ｂは、図４に示す如く、前記前突部２８,２８の前端に沿って折曲されて内装１１の内底面まで延在するよう設定され、該垂直部３１ｂと前後の扉２０,２１との間に吸込用空間Ｓ2を画成している。この垂直部３１ｂには、複数の吸込口３１ｅが穿設されており(図２に一部のみ図示)、第１遮蔽板３１により画成された冷却室２５と吸込用空間Ｓ2とを該吸込口３１ｅを介して連通するよう構成される。
【００１５】
前記吸込用空間Ｓ2の上部は、第２遮蔽板３２により閉成されるようになっている。この第２遮蔽板３２は、図４に示す如く、吸込用空間Ｓ2の上部を略覆い得る矩形状の平板部３２ａと、該平板部３２ａの前端に下方前側に向けて斜めに折曲形成された傾斜部３２ｂと、平板部３２ａの後端に下方に直角に折曲形成された垂直部３２ｃとから基本的に構成される。そして、傾斜部３２ｂの開放端を、前記下レール１９の後面に形成した受部１９ａに載置すると共に、垂直部３２ｃに形成した複数の切欠部３２ｄを、第１遮蔽板３１の垂直部３１ｂに設けた対応する係合突起３３に係合することで(図２参照)、当該第２遮蔽板３２は平板部３２ａを第１遮蔽板３１の平板部３１ａと略同一レべルとした状態で配設される。また第２遮蔽板３２の平板部３２ａには、図５に示すように、複数の吸込口３２ｅが穿設されており、収納室２２内の空気は、第２遮蔽板３２の吸込口３２ｅ、吸込用空間Ｓ2および第１遮蔽板３１の吸込口３１ｅを介して冷却室２５に流れ込むよう構成される。
【００１６】
前記内装１１の内後面１１ｂには、図６に示す如く、上下方向に延在する複数の凹溝３４が、幅方向(左右方向)に離間して並列的に形成されている。各凹溝３４は、その上端が収納室２２の上部近傍まで延在すると共に、その下端は前記第１遮蔽板３１により画成された冷却室２５の吹出用空間Ｓ1まで延在し、該凹溝３４により収納室２２と冷却室２５とを連通するよう構成してある。すなわち、前記庫内ファン２４を回転した際には、前記冷却器２３と接触して熱交換された冷気は、吹出用空間Ｓ1から第１遮蔽板３１の吹出口３１ｃを介して収納室２２に吹出されると共に、複数の凹溝３４を介して収納室２２の上方に向けて案内(整流作用)されるよう構成される。また凹溝３４の幅寸法は、隣り合う凹溝３４と凹溝３４との間に形成される凸部３５より幅広に設定され、吹出用空間(冷却室２５)Ｓ1から吹出される多くの冷気を上方に案内し得るようになっている。
【００１７】
前記内装１１における収納室２２に臨む対向する左右の両内側面１１ａ,１１ａには、図６に示す如く、内部側に開放して前後方向に延在する複数の溝部３６が、上下に所定間隔離間して形成されている。この溝部３６は、内装１１の真空成形時に一体的に成形されるものであって、左右に対向する両溝部３６,３６における内装１１の内側面１１ａである底面(垂直面)３６ａ,３６ａの間隔は、前側から後側に向かうにつれて幅狭となっている。そして、左右に対向する両溝部３６,３６における下面３６ｂ,３６ｂ間に、食品や飲料品等の陳列品(図示せず)を整列載置するための棚網(棚部材)３７が取出し自在に載置される。なお、各溝部３６の後端３６ｃは、図３に示す如く、前記内装１１における内後面１１ｂより所定長さだけ前側に位置するよう設定されている。
【００１８】
前記棚網３７の幅寸法は、図７に示す如く、前部側から後部側に向かうにつれて幅狭となるよう設定され(前側の幅Ｌ1＞後側の幅Ｌ2)、該棚網３７を前記溝部３６,３６の下面３６ｂ,３６ｂ間に載置した際には、棚網３７の左右両側端と溝部３６,３６の底面３６ａ,３６ａとが近接して略平行に臨むよう構成される。また棚網３７の前後方向の寸法は、図２に示す如く、その後端を溝部３６,３６の後端３６ｃ,３６ｃに当接して位置決めした状態で、その前端が前記後扉２１の後面に近接するよう設定される。更に、棚網３７の後端部に、上方に所定高さで立上がって幅方向の全長に亘って延在するストッパ３８が配設されており、該ストッパ３８は、棚網３７に載置された陳列品の後方への移動を規制して、陳列品と内装１１の内後面１１ｂとの間に後部冷気通路Ｗを確保するべく機能する。なお、各溝部３６の高さ寸法は、前記ストッパ３８を含む棚網３７の高さ寸法より僅かに大きく設定されている。また実施例では、最下段に位置する棚網３７にはストッパ３８は配設されていない。
【００１９】
【実施例の作用】
次に、実施例に係る冷蔵ショーケースの作用につき説明する。前記内装１１の内側面１１ａ,１１ａに形成した左右に対向する溝部３６,３６の下面３６ｂ,３６ｂ間に、前記棚網３７を載置することで、収納室２２内には複数の棚網３７が上下に多段的に配設される。そして、各棚網３７に、陳列品が陳列状態で載置される。このとき、棚網３７の全面に陳列品を載置しても、図３に示すように、棚網３７の後端が内装１１の内後面１１ｂより前側に位置する溝部３６の後端３６ｃに当接すると共に、該棚網３７の後部にストッパ３８を配設してあるから、該ストッパ３８によって内後面１１ｂとの間に後部冷気通路Ｗが確保される。
【００２０】
また棚網３７の幅寸法は、該棚網３７を支持するための溝部３６,３６の底面３６ａ,３６ａと同様に、前部側から後部側に向かうにつれて幅狭となるよう設定してあるから、溝部３６,３６における下面３６ｂ,３６ｂの内部側への突出寸法(溝部３６の深さ寸法)は、その全長に亘って同一とすることができる。すなわち、下面３６ａの前側のみを大きく突出する必要はないから、断熱箱体１４の開口部１４ａにおける有効広さが狭くなることはなく、内容積も小さくならない。しかも、棚網３７の両側部の全長を、溝部３６,３６の底面側に近接する下面３６ｂ,３６ｂで支持し得るから、下面３６ｂ,３６ｂに加わるモーメントは小さく、強度を軽減し得る。更に、棚網３７の側端と溝部３６の底面３６ａとは、全長に亘って近接しているから、下面３６ｂ,３６ｂに載置された棚網３７が大きく移動するのは防止される。なお、棚網３７の幅寸法が前側から後側に向かうにつれて変化するので、該棚網３７を前後逆にした状態で溝部３６,３６に載置することはできず、棚網３７の後部に配設したストッパ３８が前側に臨む状態で配設されることを防ぐこともできる。
【００２１】
前記庫内ファン２４を回転すると、前記収納室２２の前部側の空気は、前記第２遮蔽板３２の吸込口３２ｅから吸込用空間Ｓ2に吸込まれた後、第１遮蔽板３１の吸込口３１ｅから冷却室２５に吸込まれる。この空気は、前記冷凍機構１７により冷却されている冷却器２３に接触して冷却された後、前記吹出用空間Ｓ1から第１遮蔽板３１の吹出口３１ｃを介して収納室２２の後部側に吹出される。室内後部側に吹出された冷気は、前記棚網３７のストッパ３８と内後面１１ｂとの間に画成された後部冷気通路Ｗを介して上昇し、棚網３７に載置されている陳列品を冷却する。
【００２２】
また、前記冷気の一部は、前記内装１１の内後面１１ｂに形成した複数の凹溝３４に沿って上方に案内され、内装１１の天井面に沿って前方に流れ、更に扉２０,２１に沿って下方に流れた後に、再び冷却室２５に流入するサイクルを反復する。前記凹溝３４の下端は冷却室２５まで延在しているから、冷気の整流効果を期待でき、冷気を効率的に室内上部まで案内して室内全体を効率的に冷却することができる。しかも、凹溝３４の幅寸法を、凸部３５より幅広に設定してあるので、冷気の充分な循環量を確保することができる。なお、隣り合う凹溝３４,３４間に形成される凸部３５は、補強用のリブ程幅狭ではなく、また前記溝部３６の高さ寸法は、前記ストッパ３８を含む棚網３７の高さ寸法より僅かに大きく設定されているので、当該内装１１の成形条件が良くなる利点もある。
【００２３】
前記冷却室２５に配設した冷却器２３の両側部においては、図１に示す如く、前記内装１１の両内側面１１ａ,１１ａに一体的に形成した後突部２６,２６により冷却器２３の空気吸込側(前側)と吹出側(後側)とが連通しないよう構成されているから、前記吸込用空間Ｓ2から冷却室２５に吸込まれた空気が、冷却器２３に接触することなく吹出用空間Ｓ1に回り込むのを確実に防止し得る。これにより、室内空気を効率的に冷却して循環させることができ、収納室２２の全体を効率的に冷却し得るものである。しかも、後突部２６,２６は内装１１に一体的に形成したものであるから、部品点数が増えたり組立て工数が増えることはない。なお、冷却器２３と第１遮蔽板３１の平板部３１ａとの間には断熱部材３０が配設されているから、該冷却器２３の上部においても空気吸込側と吹出側とは連通しておらず、吸込用空間Ｓ2から冷却室２５に吸込まれた空気の全ては冷却器２５に接触して熱交換される。
【００２４】
前記第１遮蔽板３１の平板部３１ａは、前記後突部２６および前突部２８により前後方向の略全長に亘って支持されているから、該遮蔽板３１は安定的に保持される。また両突部２６,２８は、内部側に突出して冷却室２２の内部容積を小さくしているから、該冷却室２２での冷却効率が良好となる。更に、内装１１の内部には別部材が配設されないから、内部の清掃が容易となる利点もある。
【００２５】
なお、実施例では断熱箱体の内部において、収納室が上側で冷却室が下側に画成された場合で説明したが、内装の凹溝が収納室と冷却室とに亘って形成されていれば、収納室を下側で冷却室を上側に画成したものであってもよい。また冷気の流れに関しては、実施例のように後側から前側に流れる構成とは逆に、前側から後側に流れる構成としてもよい。更には、内装の内側面に凹溝を形成して、冷気を左右の側面に沿って流れるよう構成することもできる。
【００２６】
【発明の効果】
以上説明した如く、本発明に係る冷蔵庫によれば、冷却室に配設した冷却器の両側部において、内装の両内側面に一体的に形成した後突部により冷却器の空気吸込側と吹出側とを連通しないよう構成すると共に、断熱部材により冷却器の上部においても空気吸込側と吹出側とを連通しないよう構成したから、冷却室内において空気の回り込みを防ぐことができ、空気を効率的に冷却し得る。すなわち、室内空気を効率的に冷却して循環させることができ、収納室の全体を効率的に冷却し得る。しかも、後突部は内装に一体的に形成したものであるから、部品点数が増えたり組立て工数が増えることはない。また後突部の前側に同一上面レベルで前突部を連設し、両突部上に遮蔽部材を載置するようにしたから、該遮蔽部材はその前後方向の略全長に亘って支持されて安定的に保持される。更に両突部は、内部側に突出して冷却室の内部容積を小さくしているから、該冷却室での冷却効率が良好となる利点もある。
【００２７】
また、前記収納室と冷却室とを連通する複数の凹溝を内装の内面に並列的に形成したので、該凹溝による整流効果によって冷気を収納室の全体に効率的に行き渡らせることができ、室内温度を均一にすることができる。しかも、凹溝の幅寸法を、凸部より幅広に設定してあるので、冷気の充分な循環量を確保することが可能である。
【００２８】
前記棚網の幅寸法を、溝部の底面と同様に、前部側から後部側に向かうにつれて幅狭となるよう設定したので、溝部における下面の内部側への突出寸法を、その全長に亘って同一とすることができる。すなわち、下面の前側を大きく突出させる必要はないから、断熱箱体の開口部における有効広さが狭くなることはなく、内容積も小さくならない。しかも、棚網の両側部の全長を、溝部の底面側に近接する下面で支持し得るから、下面に加わるモーメントは小さく、強度を軽減し得る。更に、棚網の側端と溝部の底面とは、全長に亘って近接しているから、下面に載置された棚網が大きく移動するのは防止される。なお、棚網の幅寸法が前側から後側に向かうにつれて変化するので、該棚網を前後逆にした状態で溝部に載置することはできず、棚網の後部に配設したストッパが前側に臨む状態で配設されることを防ぐこともできる。
【００２９】
また、棚網を位置決めするための溝部の後端を、内装における内後面より所定長さだけ前側に位置するよう設定したから、棚部材の後端と内後面との間に冷気通路を確保することができる。
【図面の簡単な説明】
【図１】 本発明の実施例に係る冷蔵ショーケースの横断平面図である。
【図２】 実施例の冷蔵ショーケースを一部切欠いて示す正面図である。
【図３】 実施例の冷蔵ショーケースを一部縦断して示す側面図である。
【図４】 実施例の冷蔵ショーケースにおける冷却室を示す要部縦断側面図である。
【図５】 実施例の冷蔵ショーケースにおいて遮蔽板を配設した状態で示す横断平面図である。
【図６】 実施例の内装を示す正面図である。
【図７】 実施例の棚網を示す平面図である。
【符号の説明】
１１ 内装，１１ａ 内側面(内面)，１１ｂ 内後面，１２ 外装
１３ 発泡断熱材，１４ 断熱箱体，２２ 収納室，２３ 冷却器
２４ 庫内ファン，２５ 冷却室，２６ 後突部，２８ 前突部
３０ 断熱部材，３１ 第１遮蔽板(遮蔽部材)，３４ 凹溝，３５ 凸部
３６ 溝部，３６ａ 底面，３６ｂ 下面，３６ｃ 後端，３７ 棚網(棚部材)
３８ ストッパ
【図１】
0003683432.tif 000002
【図２】
0003683432.tif 000003
【図３】
0003683432.tif 000004
【図４】
0003683432.tif 000005
【図５】
0003683432.tif 000006
【図６】
0003683432.tif 000007
【図７】
0003683432.tif 000008